(57)【要約】【課題】携帯電話で，操作者の所望する画像情報と文字情報を合成し，その結果得られた文字入り画像ディジタル情報を，携帯電話と接続した携帯プリンタから印刷出力することを可能とする携帯電話及び携帯プリンタを提供することを目的とする。【解決手段】通信回線を介してディジタル情報を送受信する手段と，ディジタル情報を記憶する手段と，画像と文字のディジタル情報を合成する手段とを有する携帯電話，及び，前記携帯電話と有線または無線接続する手段と，ディジタル情報を記録紙に視認可能に印刷するプリンタ手段とを有する携帯プリンタ。【選択図】　　　　図１
2004056480.tif 000002
【特許請求の範囲】
【請求項１】
通信回線を介して画像や文字のディジタル情報を送受信するディジタル情報送受信手段と，
該ディジタル情報を記憶する記憶手段とを有する携帯電話において，
前記画像のディジタル情報と前記文字ディジタル情報を少なくとも１つずつを選択し，
該画像ディジタル情報と文字ディジタル情報を合成する合成手段を有する携帯電話。
【請求項２】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話に格納された文字ディジタル情報であることを特徴とする請求項１に記載の携帯電話。
【請求項３】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話に具備された文字入力手段より入力された文字ディジタル情報であることを特徴とする請求項１に記載の携帯電話。
【請求項４】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話によって，通信回線を介して受信された文字ディジタル情報であることを特徴とする請求項１に記載の携帯電話。
【請求項５】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話によって，通信回線を介して受信されたディジタル情報の，送信者の電話番号であることを特徴とする請求項１に記載の携帯電話。
【請求項６】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話によって，通信回線を介して受信されたディジタル情報の送信者の電話番号に関連付けられて登録された文字ディジタル情報（名前，Ｅ−ｍａｉｌアドレスなど）であることを特徴とする請求項１に記載の携帯電話。
【請求項７】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話と有線または無線接続された外部装置より受信された文字ディジタル情報であることを特徴とする請求項１に記載の携帯電話。
【請求項８】
通信回線を介して画像や文字のディジタル情報を送受信するディジタル情報送受信手段と，
該ディジタル情報を記憶する記憶手段とを有する携帯電話において，
前記携帯電話と有線または無線接続された外部装置より文字ディジタル情報を受信する時，請求項７に記載の前記外部装置の１つは，ＰＤＡであることを特徴とする請求項１に記載の携帯電話。
【請求項９】
通信回線を介して画像や文字のディジタル情報を送受信するディジタル情報送受信手段と，
該ディジタル情報を記憶する記憶手段とを有する携帯電話において，
前記携帯電話と有線または無線接続された外部装置より文字ディジタル情報を受信する時，請求項７に記載の前記外部装置の１つは，ＰＣであることを特徴とする請求項１に記載の携帯電話。
【請求項１０】
通信回線を介して画像や文字のディジタル情報を送受信するディジタル情報送受信手段と，
該ディジタル情報を記憶する記憶手段とを有する携帯電話において，
前記合成手段によって画像ディジタル情報と文字ディジタル情報が合成される場合，合成される画像ディジタル情報の１つは，前記携帯電話に格納された画像ディジタル情報であることを特徴とする請求項１に記載の携帯電話。
【請求項１１】
通信回線を介して画像や文字のディジタル情報を送受信するディジタル情報送受信手段と，
該ディジタル情報を記憶する記憶手段とを有する携帯電話において，
前記合成手段によって画像ディジタル情報と文字ディジタル情報が合成される場合，合成される画像ディジタル情報の１つは，前記携帯電話によって，通信回線を介して受信された画像ディジタル情報であることを特徴とする請求項１に記載の携帯電話。
【請求項１２】
通信回線を介して画像や文字のディジタル情報を送受信するディジタル情報送受信手段と，
該ディジタル情報を記憶する記憶手段とを有する携帯電話において，
前記合成手段によって合成される文字ディジタル情報の１つは，前記携帯電話によって，通信回線を介して受信されたディジタル情報の，送信者の電話番号に関連付けられて登録された画像ディジタル情報であることを特徴とする請求項１に記載の携帯電話。
【請求項１３】
通信回線を介して画像や文字のディジタル情報を送受信するディジタル情報送受信手段と，
該ディジタル情報を記憶する記憶手段とを有する携帯電話において，
前記合成手段によって画像ディジタル情報と文字ディジタル情報が合成される場合，合成される画像ディジタル情報の１つは，前記携帯電話によって，該携帯電話と有線または無線接続された外部装置より受信された画像ディジタル情報であることを特徴とする請求項１に記載の携帯電話。
【請求項１４】
通信回線を介して画像や文字のディジタル情報を送受信するディジタル情報送受信手段と，
該ディジタル情報を記憶する記憶手段とを有する携帯電話において，
該携帯電話と有線または無線接続された外部装置より画像ディジタル情報を受信する場合，
請求項１３に記載の前記外部装置の１つは，ディジタルカメラであることを特徴とする請求項１に記載の携帯電話。
【請求項１５】
通信回線を介して画像や文字のディジタル情報を送受信するディジタル情報送受信手段と，
該ディジタル情報を記憶する記憶手段とを有する携帯電話において，
該携帯電話と有線または無線接続された外部装置より画像ディジタル情報を受信する場合，
請求項１３に記載の前記外部装置の１つは，ディジタルビデオであることを特徴とする請求項１に記載の携帯電話。
【請求項１６】
通信回線を介して画像や文字のディジタル情報を送受信するディジタル情報送受信手段と，
該ディジタル情報を記憶する記憶手段とを有する携帯電話において，
前記合成手段によって画像ディジタル情報と文字ディジタル情報が合成される場合，合成される画像ディジタル情報の１つは，前記携帯電話によって，インターネットのホームページよりダウンロードされた画像ディジタル情報であることを特徴とする請求項１に記載の携帯電話。
【請求項１７】
通信回線を介して画像や文字のディジタル情報を送受信するディジタル情報送受信手段と，
該ディジタル情報を記憶する記憶手段とを有する携帯電話において，
前記合成手段によって合成された文字入り画像を，
前記携帯電話と有線または無線接続した外部装置へ送信する送信手段を有する携帯電話。
【請求項１８】
通信回線を介して画像や文字のディジタル情報を送受信するディジタル情報送受信手段と，
該ディジタル情報を記憶する記憶手段とを有する携帯電話において，
前記合成手段によって合成された文字入り画像を，
前記携帯電話と有線または無線接続した外部装置へ送信する場合，
請求項１７に記載の前記外部装置の１つは，携帯プリンタであることを特徴とする請求項１に記載の携帯電話。
【請求項１９】
通信回線を介して画像や文字のディジタル情報を送受信するディジタル情報送受信手段と，
該ディジタル情報を記憶する記憶手段とを有する携帯電話において，
前記合成手段によって合成された文字入り画像を，
前記携帯電話と有線または無線接続した外部出力装置へ送信する場合，
請求項１７に記載の前記外部装置の１つは，ＰＤＡであることを特徴とする請求項１に記載の携帯電話。
【請求項２０】
画像及び文字のディジタル情報情報を記録紙に視認可能に印刷するプリンタ手段と，
前記携帯電話と有線または無線接続する手段を有する携帯プリンタ装置において，
前記携帯電話から受信した文字入り画像ディジタル情報を印刷出力する手段を有することを特徴とする携帯プリンタ。
【請求項２１】
画像及び文字のディジタル情報情報を記録紙に視認可能に印刷するプリンタ手段と，
前記携帯電話と有線または無線接続する手段を有する携帯プリンタ装置において，
該携帯プリンタ装置に具備されたプリントボタンが押下げられたことを機に，前記文字入り画像ディジタル情報の印刷を開始する，普通印刷モードを有することを特徴とする請求項２０に記載の携帯プリンタ。
【請求項２２】
画像及び文字のディジタル情報情報を記録紙に視認可能に印刷するプリンタ手段と，
前記携帯電話と有線または無線接続する手段を有する携帯プリンタ装置において，
前記携帯電話から文字入り画像ディジタル情報を受信したこと機に，前記文字入り画像ディジタル情報の印刷を開始する，自動印刷モードを有することを特徴とする請求項２０に記載の携帯プリンタ。
【請求項２３】
画像及び文字のディジタル情報情報を記録紙に視認可能に印刷するプリンタ手段と，
前記携帯電話と有線または無線接続する手段を有する携帯プリンタ装置において，
請求項２１に記載の普通印刷モードと，請求項２２に記載の自動印刷モードを設定する機能を有することを特徴とする請求項２０に記載の携帯プリンタ。
【請求項２４】
前記携帯電話と有線または無線接続する手段を有するＰＤＡにおいて，
前記携帯電話から受信した文字入り画像ディジタル情報を受信する手段を有することを特徴とするＰＤＡ。
【発明の詳細な説明】
【０００１】
【発明の属する技術分野】
本発明は，携帯電話及び携帯プリンタに関するものである。
【０００２】
具体的には，通信回線を介して画像や文字のディジタル情報を送受信するディジタル情報送受信手段と，該ディジタル情報を記憶する記憶手段とを有する携帯電話装置，及び，画像及び文字のディジタル情報情報を記録紙に視認可能に印刷するプリンタ手段を有するプリンタ装置に関するものである。
【０００３】
【従来の技術】
近年の携帯電話端末の普及には目を見張るものがあり，それと同時に携帯電話の機能拡張の勢いは止まるところを知らない。特に，携帯電話を利用したインターネットサービスや，Ｅ−ｍａｉｌサービス利用者の増加傾向はめざましく，携帯電話によって画像ディジタル情報や文字ディジタル情報を扱う機会が増えてきている。
【０００４】
そんな中，画像ディジタル情報や文字ディジタル情報を送受信したり，それらを携帯電話のディスプレイ上で見たり，携帯電話のメモリに保存しておくだけではなく，携帯電話上で画像ディジタル情報や文字ディジタル情報を携帯電話の液晶ディスプレイ（ＬＣＤ）上に表示しつつ，合成し，それによって得られた文字入り画像ディジタル情報を，携帯電話と接続した外部装置へ送信し，その外部装置によって保存，出力したいという要求が高まりつつある。
【０００５】
従来技術として，画像ディジタル情報を表示する携帯電話は存在する。
【０００６】
特開平０７−０５８８１４号公報に記載の装置において，携帯性を損なわず而も大容量のデータ，画像を表示することが可能な携帯電話機は開示されている。
【０００７】
また，文字ディジタル情報を送受信する携帯電話は存在する。
【０００８】
特開平０７−０５９１５５号公報に記載の装置において，所望の相手方に対して携帯電話機から電話発呼を行った場合に，その相手方が不在で電話連絡がとれない場合であっても，文字の画データを無線出力することによって，所望のメッセージを相手方に伝達することができて，相手方との通信連絡の円滑化が図れるようにする携帯電話は開示されている。
【０００９】
また，画像ディジタル情報と文字ディジタル情報を重合して表示する携帯電話は存在する。
【００１０】
特開平１１−２８４７０５号公報に記載の装置において，携帯電話機の液晶表示窓に，所望の画像，文字等を液晶部に重合して表示することによって，携帯電話機を，よりファッショナブルなもの，よりパーソナルなものとして，所有感を高める携帯電話装置は開示されている。
【００１１】
【発明が解決しようとしている課題】
しかしながら，上記の従来技術例では，画像ディジタル情報や文字ディジタル情報を送受信したり，表示したり，またそれらを重ね合わせたものを液晶ディスプレイ上で表示したりするのみにとどまり，携帯電話上で操作者が所望する文字入り画像ディジタル情報を作成し，該文字入り画像ディジタル情報を携帯電話と接続した外部装置に送信し，該外部装置にて保存，または外部装置から出力したいという，操作者の遊び心を満たすまでに至らない。
【００１２】
本発明は，携帯電話上で，操作者の所望する画像ディジタル情報と文字ディジタル情報を合成し，その結果得られた文字入り画像ディジタル情報を携帯電話から，該携帯電話と接続した携帯プリンタのような外部装置へ送信し，該外部装置に文字入り画像ディジタル情報を保存，または該外部装置から文字入り画像ディジタル情報を出力することによって，好きな時に好きな場所で好きなだけ文字入り画像ディジタル情報を得ることを可能とする携帯電話及び携帯プリンタを提供することを目的とする。
【００１３】
【課題を解決するための手段】
本発明の課題を解決するための手段は，通信回線を介して画像や文字のディジタル情報を送受信するディジタル情報送受信手段と，該ディジタル情報を記憶する記憶手段とを有する携帯電話において，前記携帯電話に具備された液晶ディスプレイ（ＬＣＤ）上に画像ディジタル情報及び文字ディジタル情報を表示するディジタル情報表示手段と，前記携帯電話のメモリに格納された文字ディジタル情報から，合成する文字ディジタル情報を選択する文字ディジタル情報選択手段と，前記携帯電話に具備された文字入力手段より文字ディジタル情報を入力する文字ディジタル情報入力手段と，通信回線を介して受信したディジタル情報の送信者の電話番号を抽出する電話番号抽出手段と，前記電話番号抽出手段によって抽出された電話番号に関連付けられて登録された文字ディジタル情報を抽出する関連文字ディジタル情報抽出手段と，前記携帯電話と有線または無線接続された外部装置より文字ディジタル情報を受信する文字ディジタル情報受信手段と，前記携帯電話のメモリに格納された画像ディジタル情報から，合成する画像ディジタル情報を選択する画像ディジタル情報選択手段と，前記電話番号抽出手段によって抽出された電話番号に関連付けられて登録された画像ディジタル情報を抽出する関連画像ディジタル情報抽出手段と，前記携帯電話と有線または無線接続された外部装置より画像ディジタル情報を受信する画像ディジタル情報受信手段と，前記携帯電話で，該画像ディジタル情報と文字ディジタル情報を，携帯電話に具備された液晶ディスプレイ上煮表示しながら操作者の所望する文字入り画像に合成する合成手段と，前記合成手段によって合成された文字入り画像を，携帯電話と有線または無線接続した外部装置に送信する文字入り画像送信手段と，画像及び文字のディジタル情報を記録紙に視認可能に印刷するプリンタ手段と，前記携帯電話と有線または無線接続する接続手段とを有する携帯プリンタにおいて，前記プリンタ手段を制御するプリント制御手段と，前記携帯電話から文字入り画像ディジタル情報を受信する文字入りディジタル情報受信手段と，前記画像ディジタル情報を記憶するメモリ手段と，前記画像ディジタル情報を印刷出力するための画像処理手段と，前記携帯電話から画像ディジタル情報を受信したことを機に印刷を開始する自動印刷手段と，前記自動印刷手段によって印刷を開始する自動印刷モードとプリントボタンが押下げられたことを機に印刷を開始する普通印刷モードとを設定する自動印刷モード設定手段である。
【００１４】
【発明の実施の形態】
本発明を図示の実施の形態に基づいて説明する。
【００１５】
図１〜図９を用いて，本発明の実施の一形態に係る携帯電話及び携帯プリンタについて説明する。
【００１６】
図１は本発明の実施の形態における，携帯プリンタの詳細な構成を示すブロック図である。
【００１７】
図１において，Ｓ１０１は，制御装置１，Ｓ１０２は，画像ディジタル情報を記憶するメモリ手段１，Ｓ１０３は，本プリンタと有線または無線接続した外部装置より文字入り画像ディジタル情報を受信する文字入り画像ディジタル情報受信手段，Ｓ１０４は，文字入り画像ディジタル情報を印刷出力するための画像処理手段，Ｓ１０５は，光電変換された信号を視認可能に記録媒体に出力する，つまり記録紙にプリントするプリント手段，Ｓ１０６は，前記プリント手段を制御するプリント制御手段，Ｓ１０７は，電源スイッチ，Ｓ１０８は，プリントボタン，Ｓ１０９は，本プリンタと有線または無線接続した外部装置より画像ディジタル情報を受信したことを機に印刷を開始する自動印刷手段，Ｓ１１０は，前記自動印刷手段によって印刷を開始する自動印刷モードか，プリントボタンを押下げられたことを機に印刷を介する普通印刷モードかを設定する自動印刷モード設定手段である。
【００１８】
本発明の範囲は，Ｓ１０３，Ｓ１０４，Ｓ１０９，Ｓ１１０である。
【００１９】
図２は本発明の実施の形態における，携帯電話の詳細な構成を示すブロック図である。
【００２０】
図２について，以下に説明する。
【００２１】
Ｓ２０１は，制御装置２，Ｓ２０２は，画像ディジタル情報や文字ディジタル情報を表示する液晶ディスプレイ（ＬＣＤ）からなる表示手段，Ｓ２０３は，画像ディジタル情報及び文字ディジタル情報を記憶するメモリ手段２（ＲＡＭ），Ｓ２０４は，通信回線を介して画像ディジタル情報及び文字ディジタル情報を送受信する送受信手段，Ｓ２０５は，該携帯電話に具備された文字ディジタル情報入力手段によって文字ディジタル情報を入力する文字ディジタル情報入力手段，Ｓ２０６は，本携帯電話と有線または無線接続した外部装置から文字ディジタル情報を受信する受信手段，Ｓ２０７は，本携帯電話と有線または無線接続した外部装置から画像ディジタル情報を受信する受信手段，Ｓ２０８は，本携帯電話と接続インターネットのホームページより画像ディジタル情報をダウンロードするダウンロード手段，Ｓ２０９は，通信回線を介して受信した画像ディジタル情報及び文字ディジタル情報の送信者の電話番号を抽出する電話番号抽出手段，Ｓ２１０は，Ｓ２０９によって抽出された，通信回線を介して受信した画像ディジタル情報及び文字ディジタル情報の送信者の電話番号に関連付けられて登録された文字ディジタルを抽出する，送信者電話番号関連文字ディジタル情報抽出手段，Ｓ２１１は，Ｓ２０９によって抽出された，通信回線を介して受信した画像ディジタル情報及び文字ディジタル情報の送信者の電話番号に関連付けられて登録された画像ディジタルを抽出する，送信者電話番号関連画像ディジタル情報抽出手段，Ｓ２１２は，本携帯電話のメモリに記憶された画像ディジタル情報から，合成する画像ディジタル情報を選択する画像ディジタル情報選択手段，Ｓ２１３は，画像ディジタル情報と文字ディジタル情報を合成する文字入り画像ディジタル情報合成手段，Ｓ２１４は，本携帯電話と有線または無線接続した外部装置へ文字入り画像ディジタル情報を送信する文字入り画像ディジタル情報送信手段，Ｓ２１５は，電源スイッチ，Ｓ２１６は，送信ボタン，Ｓ２１７は，本携帯電話と有線または無線接続する外部装置，Ｓ２１８は，本携帯電話のメモリに記憶された文字ディジタル情報から，合成する文字ディジタル情報を選択する文字ディジタル情報選択手段，本発明の範囲は，Ｓ２０６，Ｓ２０７，Ｓ２１０，２１１，Ｓ２１２，Ｓ２１３，Ｓ２１４，Ｓ２１８である。
【００２２】
「第１実施形態」
本発明の第１実施形態として，通信回線を介して画像や文字のディジタル情報を送受信するディジタル情報送受信手段と，該ディジタル情報を記憶する記憶手段とを有する携帯電話において，該携帯電話に記憶されているか，または外部装置より入力された，画像ディジタル情報及び文字ディジタル情報とを少なくとも１つずつ選択し，該画像ディジタル情報と文字ディジタル情報とを操作者の所望する文字入り画像ディジタル情報に合成し，その結果得られた文字入り画像ディジタル情報を，該携帯電話と有線または無線接続した，画像ディジタル情報を記録紙に視認可能に印刷するプリンタ手段を有する携帯プリンタに送信し，該文字入り画像ディジタル情報を，該携帯プリンタより印刷出力する例を挙げる。
【００２３】
前記携帯電話は，請求項１，請求項２，請求項１０，請求項１７，請求項１８の内容を適用し，前記携帯プリンタは，請求項２０，請求項２１，請求項２２，請求項２３の内容を適用していることを特徴とする。
【００２４】
以下にその概要について，図面を用いて説明する。
【００２５】
図５は，本発明を適用した第１実施形態を実施する形態を示す構成図である。
【００２６】
図５について，以下に説明する。
【００２７】
Ｓ５０１は，本発明を適用した携帯電話を示す。
【００２８】
Ｓ５０２は，本発明を適用した携帯プリンタを示す。
【００２９】
Ｓ５０３は，前記携帯電話（Ｓ５０１）と前記携帯プリンタ（Ｓ５０２）を，有線または無線接続している様子を示す。
【００３０】
図３は，本発明を適用した第１実施形態を実施する際の，詳細アルゴリズムである。
【００３１】
図３について，以下に説明する。
【００３２】
ステップ＃１は，本アルゴリズムのスタート地点である。
【００３３】
ステップ＃２では，前記携帯電話の電源ＳＷ（Ｓ２１５）がＯＮであるか否かを検知する。「はい」であればステップ＃３へ，「いいえ」であればそのまま待機する。
【００３４】
ステップ＃３では，画像ディジタル情報選択／入力手段（Ａ）によって，合成する画像ディジタル情報が選択入力または選択された否かを検知する。「はい」であればステップ＃４へ，「いいえ」であればそのまま待機する。
【００３５】
ステップ＃４では，ステップ＃３で選択または入力された画像ディジタル情報を携帯電話のメモリ手段２（Ｓ２０３）によって一時的に記憶する。
ステップ＃５では，文字ディジタル情報選択／入力手段（Ｂ）によって，合成する文字ディジタル情報が選択または入力されたか否かを検知する。「はい」であればステップ＃６へ，「いいえ」であれば待機する。
【００３６】
ステップ＃６では，ステップ＃５で選択または入力された文字ディジタル情報を携帯電話のメモリ手段（Ｓ２０３）によって一時的に記憶する。
【００３７】
ステップ＃７では，ステップ＃３において選択または入力された画像ディジタル情報と，ステップ＃５において選択または入力された文字ディジタル情報を，ディジタル情報表示手段（Ｓ２０２）によって前記携帯電話の液晶ディスプレイ（ＬＣＤ）上に表示しながら，文字入り画像合成手段（Ｓ２１２）によって，操作者の所望する文字入り画像ディジタル情報を合成する。
【００３８】
ステップ＃８では，ステップ＃７において合成された文字入り画像ディジタル情報を，携帯電話のメモリ手段２（Ｓ２０３）によって一時的に記憶する。
【００３９】
ステップ＃９では，送信ボタン（Ｓ２１６）が押下げられたか否かを検知する。「はい」であればステップ＃１０へ，「いいえ」であればそのまま待機する。
【００４０】
ステップ＃１０では，ステップ＃８において一時的に記憶された文字入り画像ディジタル情報を，文字入り画像ディジタル情報送信手段（Ｓ２１４）によって，前記携帯電話と有線または無線接続した外部装置（Ｃ）（Ｓ２１７）へ送信する。
【００４１】
ステップ＃１１は，本アルゴリズムの終点である。
【００４２】
第１実施形態の，ステップ＃３における，合成する画像ディジタル情報選択／入力手段（Ａ）は，該携帯電話のメモリ手段２（Ｓ２０３）によって記憶された画像ディジタル情報より合成する画像ディジタル情報を選択する，画像ディジタル情報選択手段（Ｓ２１２）である。
【００４３】
ステップ＃５における，合成する文字ディジタル情報の選択／入力手段（Ｂ）は，該携帯電話のメモリ手段２（Ｓ２０３）によって記憶された文字ディジタル情報より合成する文字ディジタル情報を選択する，文字ディジタル情報選択手段（Ｓ２１８）である。
【００４４】
ステップ＃８の，外部装置は携帯プリンタである。
【００４５】
図４は，図３中のステップ＃９の詳細アルゴリズムである。
【００４６】
図４について，以下に説明する。
【００４７】
ステップ＃９−１は，本アルゴリズムのスタート地点である。
【００４８】
ステップ＃９−２では，前記プリンタの電源ＳＷ（Ｓ１０７）がＯＮであるか否かを検知する。「はい」であればステップ＃９−３へ，「いいえ」であればそのまま待機する。
【００４９】
ステップ＃９−３では，ステップ＃９において送信された文字入り画像ディジタル情報を，前記携帯プリンタにおいて画像ディジタル情報受信手段（Ｓ１０３）によって受信したか否かを検知する。「はい」であれば，ステップ＃９−４へ，「いいえ」であればそのまま待機する。
【００５０】
ステップ＃９−４では，ステップ＃９−３において受信した文字入り画像ディジタル情報を，メモリ手段１（Ｓ１０２）によって記憶する。
【００５１】
ステップ＃９−５では，自動印刷モード設定手段手段（Ｓ１１０）によって自動印刷モードが設定されているか否かを検知する。「はい」であればステップ＃９−７へ，「いいえ」であればステップ＃９−６へ進む。
【００５２】
ステップ＃９−６では，操作者によってプリントボタンが押下られたか否かを検知する。「はい」であればステップ＃９−７へ，「いいえ」であればそのまま待機する。
【００５３】
ステップ＃９−７では，プリント制御手段（Ｓ１０６）を介してプリント手段（Ｓ１０５）を駆動し，予備吐出，目詰まり解消，ノズルの回復等を行う。
【００５４】
ステップ＃９−８では，ステップ＃９−４において記憶された文字入り画像ディジタル情報を，画像処理手段（Ｓ１０４）によって，画像ディジタル情報を印刷出力するための画像処理を行う。
【００５５】
ステップ＃９−９では，ステップ＃９−８において画像処理を行われた文字入り画像ディジタル情報を，メモリ手段１（Ｓ１０２）によって一時的に記憶する。
【００５６】
ステップ＃９−１０では，プリント制御手段（Ｓ１０６）を介してプリント手段（Ｓ１０５）を駆動し，ステップ＃９−８において記憶された画像処理済み文字入り画像ディジタル情報を印刷する。
【００５７】
ステップ＃９−１１では，印刷済み記録紙が記録紙排出口より排出される。
【００５８】
ステップ＃９−１２は，本アルゴリズムの終点である。
【００５９】
「第２実施形態」
本発明の第２実施形態として，本発明の第１実施形態において，前記携帯電話は，請求項１，請求項２，前記プリンタは，請求項１７，請求項１８，請求項２０，請求項２１，請求項２２，請求項２３の内容を適用する。
【００６０】
本発明を適用した第２実施形態を実施する形態を示す構成図及び詳細アルゴリズムは，第１実施形態と同様である。
【００６１】
ステップ＃３における，画像ディジタル情報の選択／入力手段（Ａ）は，通信回線を介して画像ディジタル受信する，ディジタル情報受信手段（Ｓ２０４）によって受信した画像ディジタル情報を入力する手段であっても良い。
【００６２】
「第３実施形態」
本発明の第３実施形態として，本発明の第１実施形態において，前記携帯電話は，請求項１，請求項２，請求項１３（請求項１４または請求項１５）、前記プリンタは，請求項１７，請求項１８，請求項２０，請求項２１，請求項２２，請求項２３の内容を適用する。
【００６３】
図６は，本発明を適用した第３実施形態を実施する形態を示す構成図である。
【００６４】
図６について，以下に説明する。
【００６５】
Ｓ６０１は，本発明を適用した携帯電話，Ｓ６０２は，本発明を適用した携帯プリンタ，Ｓ６０３は，前記携帯電話と有線または無線接続する手段と，前記携帯電話へ画像ディジタル情報を送信する手段とを有することを特徴とするディジタルビデオカメラ，Ｓ６０４は，前記携帯電話と有線または無線接続する手段と，前記携帯電話へ画像ディジタル情報を送信する手段とを有することを特徴とするディジタルカメラ，Ｓ６０５は，前記ディジタルビデオカメラ（Ｓ６０３）と前記携帯電話（Ｓ６０１），前記ディジタルカメラ（Ｓ６０４）と前記携帯電話（Ｓ６０１），前記携帯電話（Ｓ６０１）と前記携帯プリンタ（Ｓ６０２）を，それぞれ有線または無線接続している様子，を示す。
【００６６】
ステップ＃３における，画像ディジタル情報の選択／入力手段（Ａ）は，該携帯電話と有線または無線接続したディジタルカメラやディジタルビデオなどの外部装置から画像ディジタル情報を受信する画像ディジタル情報受信手段（Ｓ２０７）であっても良い。
【００６７】
本発明を適用した第３実施形態の詳細アルゴリズムは，第１実施形態と同様である。
【００６８】
「第４実施形態」
本発明の第４実施形態として，本発明の第１実施形態において，前記携帯電話は，請求項１，請求項２，請求項１２。
【００６９】
前記プリンタは，請求項１７，請求項１８，請求項２０，請求項２１，請求項２２，請求項２３の内容を適用する。
【００７０】
本発明を適用した第４実施形態を実施する形態を示す構成図及び詳細アルゴリズムは，第１実施形態と同様である。
【００７１】
ステップ＃３における，画像ディジタル情報の選択／入力手段（Ａ）は，電話番号抽出手段によって抽出された，通信回線を介して受信したディジタル情報の送信者の電話番号に関連付けられて登録された画像ディジタル情報を抽出する，電話番号関連画像ディジタル情報抽出手段（Ｓ２１１）によって抽出された画像ディジタル情報を入力する手段であっても良い。
【００７２】
ここで入力される画像ディジタル情報の例として，通信回線を介して受信したディジタル情報の送信者の電話番号とあらかじめ関連付けて登録した送信者自身の顔画像ディジタル情報が挙げられる。
【００７３】
「第５実施形態」
本発明の第５実施形態として，本発明の第１実施形態において，前記携帯電話は，請求項１，請求項２，請求項１６，前記プリンタは，請求項１７，請求項１８，請求項２０，請求項２１，請求項２２，請求項２３の内容を適用する。
【００７４】
本発明を適用した第５実施形態を実施する形態を示す構成図及び詳細アルゴリズムは，第１実施形態と同様である。
【００７５】
ステップ＃３における，画像ディジタル情報の選択／入力手段（Ａ）は，該携帯電話において，該携帯電話と接続したインターネットのホームページより画像ディジタル情報をダウンロードするダウンロード手段（Ｓ２０８）によってダウンロードした画像ディジタル情報を入力する手段であっても良い。
【００７６】
「第６実施形態」
本発明の第６実施形態として，本発明の第１実施形態において，前記携帯電話は，請求項１，請求項３，請求項１０，前記プリンタは，請求項１７，請求項１８，請求項２０，請求項２１，請求項２２，請求項２３の内容を適用する。
【００７７】
本発明を適用した第６実施形態を実施する形態を示す構成図及び詳細アルゴリズムは，第１実施形態と同様である。
【００７８】
ステップ＃５における，文字ディジタル情報の選択／入力手段（Ｂ）は，前記携帯電話に具備された文字ディジタル情報入力手段（Ｓ２０５）であっても良い。
【００７９】
ここでとられるディジタル情報入力手段の例として，テンキーからの入力手段が挙げられる。
【００８０】
「第７実施形態」
本発明の第６実施形態として，本発明の第１実施形態において，前記携帯電話は，請求項１，請求項４，請求項１０，前記プリンタは，請求項１７，請求項１８，請求項２０，請求項２１，請求項２２，請求項２３の内容を適用する。
【００８１】
本発明を適用した第７実施形態を実施する形態を示す構成図及び詳細アルゴリズムは，第１実施形態と同様である。
【００８２】
ステップ＃５における，文字ディジタル情報の選択／入力手段（Ｂ）は，通信回線を介して文字ディジタル受信する，ディジタル情報受信手段（Ｓ２０４）によって受信された文字ディジタル情報を入力する手段であっても良い。
【００８３】
「第８実施形態」
本発明の第８実施形態として，本発明の第１実施形態において，前記携帯電話は，請求項１，請求項５，請求項１０，前記プリンタは，請求項１７，請求項１８，請求項２０，請求項２１，請求項２２，請求項２３の内容を適用する。
【００８４】
本発明を適用した第８実施形態を実施する形態を示す構成図及び詳細アルゴリズムは，第１実施形態と同様である。
【００８５】
ステップ＃５における，文字ディジタル情報の選択／入力手段（Ｂ）は，通信回線を介して受信したディジタル情報の送信者の電話番号を抽出する，送信者電話番号抽出手段（Ｓ２０９）によって抽出された電話番号を入力する手段であっても良い。
【００８６】
「第９実施形態」
本発明の第９実施形態として，本発明の第１実施形態において，前記携帯電話は，請求項１，請求項６，請求項１０，前記プリンタは，請求項１７，請求項１８，請求項２０，請求項２１，請求項２２，請求項２３の内容を適用する。
【００８７】
本発明を適用した第９実施形態を実施する形態を示す構成図及び詳細アルゴリズムは，第１実施形態と同様である。
【００８８】
ステップ＃５における，文字ディジタル情報の選択／入力手段（Ｂ）は，通信回線を介して受信したディジタル情報の送信者の電話番号を抽出し，さらに該電話番号と関連付けられて登録された，電話番号関連文字ディジタル情報抽出手段（Ｓ２１０）によって抽出された文字ディジタル情報を入力する手段であっても良い。
【００８９】
ここで抽出される文字ディジタル情報の例として，送信者の名前，Ｅ−ｍａｉｌアドレスなどが挙げられる。
【００９０】
「第１０実施形態」
本発明の第１０実施形態として，本発明の第１実施形態において，前記携帯電話は，請求項１，請求項６，請求項１０，前記プリンタは，請求項１７，請求項１８，請求項２０，請求項２１，請求項２２，請求項２３の内容を適用する。
【００９１】
図７は，本発明を適用した第１０実施形態を実施する形態を示す構成図である。
【００９２】
図７について，以下に説明する。
【００９３】
Ｓ７０１は，本発明を適用した携帯電話を示す。
【００９４】
Ｓ７０２は，本発明を適用した携帯プリンタを示す。
【００９５】
Ｓ７０３は，前記携帯電話と有線または無線接続する手段と，前記携帯電話へ文字ディジタル情報を送信する手段とを有することを特徴とするＰＣ，Ｓ７０４は，前記携帯電話と有線または無線接続する手段と，前記携帯電話へ文字ディジタル情報を送信する手段とを有することを特徴とするＰＤＡ，Ｓ７０５は，前記ＰＣ（Ｓ７０３）と前記携帯電話（Ｓ７０１），前記ＰＤＡ（Ｓ６０４）と前記携帯電話（Ｓ７０１），前記携帯電話（Ｓ７０１）と前記携帯プリンタ（Ｓ７０２）を，それぞれ有線または無線接続している様子，を示す。
【００９６】
ステップ＃３における，文字ディジタル情報の選択／入力手段（Ｂ）は，前記携帯電話と有線または無線接続されたＰＤＡやＰＣなどの外部装置から文字ディジタル情報を受信する文字ディジタル情報受信手段（Ｓ２０６）であっても良い。
【００９７】
第１実施形態における文字ディジタル情報選択／入力手段として挙げられた，該携帯電話に具備された文字入力手段によって，操作者が文字ディジタル情報を入力する際に，該入力手段の操作性に不満がある場合，文字ディジタル情報受信手段（Ｓ２０６）によって文字ディジタル情報が入力されることが望ましい。つまり，ＰＤＡやＰＣなどの外部装置であらかじめ文字ディジタル情報を入力，格納しておけば，該携帯電話と該外部装置を有線または無線接続し，該外部装置から該携帯電話へ文字ディジタル情報を送信することによって，即座に文字ディジタル情報入力が完了できる。
【００９８】
本発明を適用した第３実施形態の詳細アルゴリズムは，第１実施形態と同様である。
【００９９】
「第１１実施形態」
本発明の第１０実施形態として，本発明の第１実施形態において，前記携帯電話は，請求項１，請求項２，請求項１０，前記外部装置は，請求項２４の内容を適用する。
【０１００】
図８は，本発明を適用した第１１実施形態を実施する形態を示す構成図である。
【０１０１】
図８について，以下に説明する。
【０１０２】
Ｓ８０１は，本発明を適用した携帯電話を示す。
【０１０３】
Ｓ８０２は，前記携帯電話から，文字入り画像ディジタル情報を受信する手段と，前記文字入り画像ディジタル情報を記憶する手段と，前記画像ディジタル情報を表示する手段を具備したことを特徴とするＰＤＡ。
【０１０４】
Ｓ８０３は，前記携帯電話（Ｓ８０１）と，前記ＰＤＡ（Ｓ８０２））を，有線または無線接続している様子，を示す。
【０１０５】
ステップ＃９における前記携帯電話と有線または無線接続する外部装置は，ＰＤＡであっても良い。
【０１０６】
本発明を適用した第１１実施形態の詳細アルゴリズムを，図３及び図９に示す。
【０１０７】
図９は，図３中のステップ＃９の詳細アルゴリズムである。
【０１０８】
図９について，以下に説明する。
【０１０９】
ステップ＃１は，本アルゴリズムのスタート地点である。
【０１１０】
ステップ＃２では，前記ＰＤＡ電源ＳＷがＯＮであるか否かを検知する。「はい」であればステップ＃３へ，「いいえ」であればそのまま待機する。
【０１１１】
ステップ＃３では，ステップ＃９において送信された文字入り画像ディジタル情報を，前記ＰＤＡにおいて受信したか否かを検知する。「はい」であれば，ステップ＃４へ，「いいえ」であればそのまま待機する。
【０１１２】
ステップ＃４では，ステップ＃３において受信した文字入り画像ディジタル情報を，メモリ手段によって記憶する。
【０１１３】
ステップ＃５は，本アルゴリズムの終点である。
【０１１４】
【発明の効果】
このように，本発明によれば，携帯電話に入力可能なあらゆる画像ディジタル情報と文字ディジタル情報を自由に合成することによって，必要な時に，必要な場所で，必要な分だけ，操作者が所望する文字入り画像を得られるという効果が得られる。
【図面の簡単な説明】
【図１】本発明の実施の形態における，携帯プリンタの詳細な構成を示すブロック図。
【図２】本発明の実施の形態における，携帯電話の詳細な構成を示すブロック図。
【図３】本発明を適用した第１実施形態〜第９実施形態を実施する際の，詳細アルゴリズム。
【図４】本発明を適用した第１実施形態〜第９実施形態を実施する際の詳細アルゴリズムを示す図３中のステップ＃９の詳細アルゴリズム。
【図５】本発明を適用した第１実施形態を実施する形態を示す構成図。
【図６】本発明を適用した第３実施形態を実施する形態を示す構成図。
【図７】本発明を適用した第１０実施形態を実施する形態を示す構成図。
【図８】本発明を適用した第１１実施形態を実施する形態を示す構成図。
【図９】本発明を適用した第１実施形態〜第９実施形態を実施する際の詳細アルゴリズムを示す図３中のステップ＃９の詳細アルゴリズムである。
【図１】
2004056480.tif 000003
【図２】
2004056480.tif 000004
【図３】
2004056480.tif 000005
【図４】
2004056480.tif 000006
【図５】
2004056480.tif 000007
【図６】
2004056480.tif 000008
【図７】
2004056480.tif 000009
【図８】
2004056480.tif 000010
【図９】
2004056480.tif 000011